(57)【要約】【課題】直管形ランプのランプ長のバラツキを吸収し、ソケットを小型化にできるとともに、ランプを挿入しやすいソケットを提供する。【解決手段】前面２０ａと後面２０ｄとを備えたソケット本体２１と、後面２０ｄの一方の法線方向に突き出し、ソケット本体２１の移動をガイドする取付足２３と、取付足２３先端に設けられ、取付孔からの先端の抜けを防止する爪部２４と、両端部を備え、一方の端部がソケット本体２１の後面２０ｄに取り付けられたバネ６０とを備え、ソケット本体２１は、バネ６０の他方の端部が取付面に当接することでバネ６０が弾性変形し、弾性変形したバネ６０が復元しようとする復元力により爪部２４が取付孔の周縁に係止されることにより、所定の位置である係止位置に保持される。【選択図】図２
2014002856.tif 000002
【特許請求の範囲】
【請求項１】
取付孔が形成された取付面に取り付けられるソケットであって、
前面と後面とを備えたソケット本体と、
前記後面から前記後面の一方の法線方向に突き出したガイド部であって、前記取付面の前記取付孔に先端から挿入され、前記ソケット本体の移動をガイドするガイド部と、
前記ガイド部の前記先端に設けられ、前記取付孔からの前記先端の抜けを防止する抜け防止部と、
両端部を備え、一方の端部が前記ソケット本体の前記後面に取り付けられた弾性体と
を備え、
前記ソケット本体は、
前記弾性体の他方の端部が前記取付面に当接することで前記弾性体が弾性変形し、弾性変形した前記弾性体が復元しようとする復元力により前記抜け防止部が前記取付孔の周縁に係止されることにより、所定の位置である係止位置に保持されることを特徴とするソケット。
【請求項２】
前記ソケット本体は、
前記係止位置に保持されている状態で前記取付面方向へ押されると前記抜け防止部と前記取付孔の前記周縁との係止を解除し、前記弾性体をさらに弾性変形させながら前記取付面の方向に移動することを特徴とする請求項１に記載のソケット。
【請求項３】
前記ソケット本体は、
前記弾性体の復元力により、前記係止位置に戻ることを特徴とする請求項２に記載のソケット。
【請求項４】
前記弾性体は、
長形の平板の長手方向の両端部が折り曲げられた板バネであり、前記長形の平板の長手方向における略中央の中央部が前記一方の端部として前記後面に取り付けられ、前記長形の平板の両端部が前記他方の端部として前記取付面に当接することを特徴とする請求項１〜３のいずれかに記載のソケット。
【請求項５】
前記ソケット本体は、さらに、
上面と下面とを備え、
前記弾性体は、
長手方向が前記上面から前記下面への上下方向に沿うように配置されることを特徴とする請求項４に記載のソケット。
【請求項６】
前記ソケット本体は、さらに、
上面と下面とを備え、
前記弾性体は、
長手方向が前記上面から前記下面への上下方向と直交する方向に沿うように配置されることを特徴とする請求項４に記載のソケット。
【請求項７】
前記弾性体は、
前記中央部の短手方向の両端部から突き出した一対の付勢部を備え、
前記一対の付勢部の一対の先端部は、前記他方の端部として前記取付面に当接する
ことを特徴とする請求項５または６に記載のソケット。
【請求項８】
請求項１〜請求項７のいずれかに記載のソケットと、
前記ソケットが取り付けられる取付面を備える器具本体と、
前記ソケットに装着される直管形ランプに電力を供給する電源装置とを備えることを特徴とする照明器具。
【発明の詳細な説明】
【技術分野】
【０００１】
本発明は、直管ランプの口金を装着するソケット、及びこのソケットを備えた照明器具に関する。
【背景技術】
【０００２】
従来の直管蛍光灯ランプを使用する照明器具において、直管蛍光灯ランプのランプ長のバラツキに対応するため、ランプ口金と当接するソケットの受部が当接方向に可動であり、ランプ口金をソケット内部に収納する構造を備えたソケットがある（特許文献１参照）。
【０００３】
また、ランプ長のバラツキに対応するための他の方法として、器具本体に可動に取り付けられたソケットにより、ランプの全長を吸収する方法がある（特許文献２参照）。
【０００４】
特許文献１と特許文献２とは、対向する２つのソケットはソケット間の寸法がランプの全長よりも短くなるように配置され、ランプの全長を吸収する構造となっている。
【先行技術文献】
【特許文献】
【０００５】
【特許文献１】特開平９−２２３５５４号公報
【特許文献２】特開平１０−６９８１１号公報
【発明の概要】
【発明が解決しようとする課題】
【０００６】
特許文献１では、直管ランプ口金端部の一部がソケット内部に収納されるため、ソケット内部に口金を収納するための空間が必要であり、ソケットが大型となることでコストの増加と意匠面で劣るという課題がある。
【０００７】
特許文献２では、ソケットの口金当接部に対して垂直の方向から直管ランプを挿入する際、ソケットが傾き、挿入し難いという課題がある。また、無理に直管ランプを挿入しようとするとソケットが破損する恐れがあるという課題がある。また、高所での直管ランプを取り付ける作業だと時間もかかり危険も伴うという課題がある。
【課題を解決するための手段】
【０００８】
本発明に係るソケットは、取付孔が形成された取付面に取り付けられるソケットであって、前面と後面とを備えたソケット本体と、前記後面から前記後面の一方の法線方向に突き出したガイド部であって、前記取付面の前記取付孔に先端から挿入され、前記ソケット本体の移動をガイドするガイド部と、前記ガイド部の前記先端に設けられ、前記取付孔からの前記先端の抜けを防止する抜け防止部と、両端部を備え、一方の端部が前記ソケット本体の前記後面に取り付けられた弾性体とを備え、前記ソケット本体は、前記弾性体の他方の端部が前記取付面に当接することで前記弾性体が弾性変形し、弾性変形した前記弾性体が復元しようとする復元力により前記抜け防止部が前記取付孔の周縁に係止されることにより、所定の位置である係止位置に保持されることを特徴とする。
【発明の効果】
【０００９】
本発明に係るソケットは、取付孔が形成された取付面に取り付けられるソケットであって、前面と後面とを備えたソケット本体と、前記後面から前記後面の一方の法線方向に突き出したガイド部であって、前記取付面の前記取付孔に先端から挿入され、前記ソケット本体の移動をガイドするガイド部と、前記ガイド部の前記先端に設けられ、前記取付孔からの前記先端の抜けを防止する抜け防止部と、両端部を備え、一方の端部が前記ソケット本体の前記後面に取り付けられた弾性体とを備え、前記ソケット本体は、前記弾性体の他方の端部が前記取付面に当接することで前記弾性体が弾性変形し、弾性変形した前記弾性体が復元しようとする復元力により前記抜け防止部が前記取付孔の周縁に係止されることにより、所定の位置である係止位置に保持されるので、ソケットを小型化することができるとともに、作業性及び安全性の高いソケットを提供することができるという効果を奏する。
【図面の簡単な説明】
【００１０】
【図１】実施の形態１に係る照明器具１０の斜視図である。
【図２】実施の形態１のソケット２０を示す図であり、（ａ）は前面斜視図、（ｂ）は後面斜視図である。
【図３】実施の形態１のソケット２０の分解斜視図である。
【図４】実施の形態１のソケット２０の５面図であり、（ａ）は平面図、（ｂ）は正面図、（ｃ）は底面図、（ｄ）は側面図、（ｅ）は背面図である。
【図５】実施の形態１に係るソケット２０を器具本体１１の取付面１４に取り付ける取り付け方法について示す図であり、（ａ）はソケット２０を取付面１４に取り付ける前の状態を示す図であり、（ｂ）はソケット２０を取付面１４に取り付けた後にＰ方向の力が加えられた状態を示す図である。
【図６】実施の形態１に係るソケット２０を取付面１４に装着した際の状態を示す図で、（ａ）はソケット２０の状態を示す図、（ｂ）比較例のソケットを示す図である。
【図７】実施の形態２のソケット２０を示す図であり、（ａ）はバネ７０の斜視図、（ｂ）はソケット２０の背面図である。
【発明を実施するための形態】
【００１１】
以下の実施の形態について、図を用いて説明する。なお、以下の実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１２】
実施の形態１．
図１は、本実施の形態に係る照明器具１０の斜視図である。図１を用いて、照明器具１０の全体構成について説明する。
【００１３】
照明器具１０は、器具本体１１と、反射板１２と、直管ランプ１３とを備える。図１では、２本の直管ランプ１３を装着できる照明器具１０を示しているが、１本装着用、３本装着用、その他直管ランプ１３を装着できる照明器具であればよい。
【００１４】
また、照明器具１０は、直管ランプ１３に電源を供給するための電源装置（図示無し）を備える。
【００１５】
器具本体１１には、ソケット２０が取り付けられている。器具本体１１は、ソケット２０を取り付ける取付面１４を備える。また、取付面１４にはソケット２０を取り付けるための一対の取付孔１５が形成されている（図５（ａ）参照）。
【００１６】
ソケット２０は、器具本体１１において直管ランプ１３の両端部に対応する位置に配置され、直管ランプ１３の口金を受け、直管ランプ１３を器具本体１１に装着する。
【００１７】
図２は、本実施の形態のソケット２０を示す図であり、（ａ）は前面斜視図、（ｂ）は後面斜視図である。図３は、本実施の形態に係るソケット２０の分解斜視図である。図２〜図３を用いて本実施の形態に係るソケット２０の構成について説明する。
【００１８】
図２（ａ）（ｂ）を用いて、ソケット２０の全体構成について説明する。
【００１９】
ソケット２０は、ソケット本体２１、取付足２３、バネ６０を備える。ソケット本体２１は、前面２０ａ、上面２０ｂ、側面２０ｃ、後面２０ｄ、底面２０ｅ（下面）（図４（ｂ）（ｃ）参照）を備える。ソケット本体２１の上面は、上方に突き出した曲面であり、ソケット本体２１は、略かまぼこ状、略ドーム状の略箱体をなしている。ソケット本体２１は、熱可塑性樹脂の絶縁材、例えば、ポリカーボネイドやポリブチレンテレフタレートなどで形成される。
【００２０】
図２（ａ）に示すように、ソケット本体２１の前面２０ａには、直管ランプ１３の口金のランプピン（図示無し）を挿入するため、上面２０ｂから前面２０ａに連通した通過孔２２が形成される。ソケット本体２１の内部には、口金のランプピンと係合して回転する回転子３０が収納されている。
【００２１】
図１に示す器具本体１１の取付面１４は、ソケット２０を取り付けるための取付孔１５が形成されている（図５（ａ）（ｂ）参照）。ソケット本体２１は、後面２０ｄから後面２０ｄの一方の法線方向に突き出した取付足２３（ガイド部）であって、取付面１４の取付孔１５に先端から挿入され、ソケット本体２１の移動をガイドする取付足２３（ガイド部）を備える。
【００２２】
具体的には、ソケット２０は、両側の側面２０ｃに、器具本体１１の取付面１４（図１参照）にソケット本体２１を取り付けるとともにソケット本体２１の前後方向の移動をガイドするための一対の取付足２３（ガイド部）を備える。一対の取付足２３は、両側の側面２０ｃから後面２０ｄ側に突出するように設けられている。取付孔１５も取付足２３に対応して一対形成され、一対の取付孔１５に一対の取付足２３が先端から挿入される。
【００２３】
取付足２３は、側面２０ｃから後面２０ｄ側に突き出した棒状の一対のガイド部であって、取付面１４に形成された一対の取付孔１５に挿入され、ソケット２０を前後方向にガイドする。
【００２４】
取付足２３の先端には、取付孔１５からの先端の抜けを防止するための抜け防止部が形成される。例えば、抜け防止部は、取付足２３が取付孔１５から抜けないように取付孔１５の周縁に引っ掛かる爪部２４である。
【００２５】
図２（ｂ）に示すように、ソケット本体２１の後面２０ｄには、バネ６０が取り付けられる。バネ６０は、長形の平板の長手方向（バネ長手方向）の両端部が折り曲げられた板バネである。バネ６０は、長形の平板の長手方向における略中央の中央部６５と、折り曲げられた両端部から構成される一対の平行付勢部６２と、中央部６５の短手方向（バネ短手方向）の両端部から突き出した一対の垂直付勢部６３とを備える。
【００２６】
バネ６０は、十字形をなす板バネである。図２（ｂ）に示すように、バネ６０は、バネ長手方向が、上面２０ｂから底面２０ｅへ向かう上下方向と直交する方向（底面２０ｅと平行の方向、以下平行方向とする）に沿うように配置される。
【００２７】
両側の平行付勢部６２のそれぞれの先端部は、両側の側面２０ｃから平行方向に突出する。そして、平行付勢部６２は、突出した先端部と取付足２３とが交わる位置に、取付足２３の爪部２４を通過させる爪通過孔６４が形成される。
【００２８】
垂直付勢部６３は、上下方向に沿って配置される。平行付勢部６２の２つの先端６２ａと、垂直付勢部６３の２つの先端６３ａとは、バネの他方の端部として取付面に当接する。このとき、対向する２つの先端６２ａを結ぶラインと、対向する２つの先端６３ａを結ぶラインとは、互いに直交し、４つの先端６２ａ，６３ａが４角形の頂点をなすように配置される。したがって、ソケット２０が取付面１４に取り付けられときに、バネ６０は、４つの先端６２ａ，６３ａにより広い範囲で取付面１４と当接するので、ソケット２０の位置が安定する。
【００２９】
次に、図３を用いて、ソケット２０の内部構造について説明する。
【００３０】
略箱体であるソケット本体２１の内部には、回転子３０、導電金具４０が収納されている。また、ソケット本体２１の後面２０ｄの部分は、取り外し可能なカバー５０となっている。
【００３１】
回転子３０は、熱可塑性樹脂の絶縁材、例えば、ポリカーボネイドやポリブチレンテレフタレートなどで形成され、直管ランプ１３の回転を補助する。
【００３２】
一対の導電金具４０は、速結端子部４１とピン受部４２とを備える。速結端子部４１は、後述する電線挿入孔２５（図４（ｃ）参照）からソケット２０の内部に挿入された電線（図示無し）を、物理的及び電気的に結線する。ピン受部４２は、通過孔２２を通過した直管ランプのランプピン（図示無し）が９０度回転した状態において、ランプピンを挟み込んで保持するとともに、ランプピンと電気的に接続する。
【００３３】
カバー５０は、熱可塑性樹脂の絶縁材、例えば、ポリカーボネイドやポリブチレンテレフタレートなどで形成される。後面２０ｄ側にバネ６０と係合する凸部５１を備える。凸部５１は、バネ６０の中央部６５に形成された凹部６１と係合し、バネ６０をカバー５０の後面２０ｄに固定する。
【００３４】
バネ６０（弾性体）は、バネ性（弾力性）が有り、錆難い金属、例えば、ステンレスなどで成形される十字形の板バネである。上述したように、バネ６０は、中央部６５にカバー５０の凸部５１と係合する凹部６１を備える。また、バネ６０は、凹部６１が形成された平面状の中央部６５から、取付面１４側に向かって広がるように形成され、一対の取付足２３側に伸びる平行付勢部６２と、上面２０ｂ側と底面２０ｅ側に延びる垂直付勢部６３とを備える。
【００３５】
また、バネ６０は、取付足２３の爪部２４に相対した位置に形成された一対の爪通過孔６４を備え、ソケット本体２１とバネ６０とを嵌合する構造を有する。
【００３６】
また、平行付勢部６２と垂直付勢部６３との先端は折り曲げられているとともに、先端６２ａ，６３ａとなる折り曲げ角部は曲面となるように加工されている。先端６２ａ，６３ａは、曲面状ではなく角状でもよい。
【００３７】
図４は、本実施の形態のソケット２０の５面図であり、（ａ）は平面図、（ｂ）は正面図、（ｃ）は底面図、（ｄ）は側面図、（ｅ）は背面図である。ソケット２０の全体構成については図２〜図３を用いて説明したので、図４では、補足的に説明する。
【００３８】
図４（ｃ）に示すように、底面２０ｅには、電線（図示無し）を挿入する電線挿入孔２５が形成されている。上述したように、電線挿入孔２５から挿入された電線は、速結端子部４１と物理的及び電気的に接続され、一対の導電金具４０にと物理的及び電気的に接続される。したがって、電線挿入孔２５から挿入された電線は、導電金具４０のピン受部４２に物理的及び電気的に接続された直管ランプのランプピンに物理的及び電気的に接続され、直管ランプに電力を供給する。
【００３９】
また、図４（ｃ）（ｄ）に示すように、バネ６０は、平行付勢部６２の先端６２ａの後面２０ｄからの高さと、垂直付勢部６３の先端６３ａの後面２０ｄからの高さとが、略同一となるように作成されることが好ましい。
【００４０】
図４（ｃ）では、バネ６０がソケット本体２１に取り付けられている状態では、平行付勢部６２の先端６２ａは爪部２４と当接しているので、平行付勢部６２の先端６２ａと垂直付勢部６３の先端６３ａとは略同一の高さとなっている。しかし、バネ６０がソケット本体２１に取り付けられていない状態であっても、先端６２ａと先端６３ａとの高さは略同一であることが好ましい。バネ６０の形状がこのように設計されることで、ソケット２０が取付面１４に取り付けられた場合にバネ６０による取付面１４への押圧力が均一となり、ソケット２０をより安定させることができる。
【００４１】
図４（ｃ）（ｄ）に示すように、バネ６０のバネ前後方向の両端部は、一方の端部が中央部６５となり、他方の端部は先端６２ａ，６３ａとなる。
【００４２】
図５は、本実施の形態に係るソケット２０を器具本体１１の取付面１４に取り付ける取り付け方法について示す図であり、（ａ）はソケット２０を取付面１４に取り付ける前の状態を示す図であり、（ｂ）はソケット２０を取付面１４に取り付けた後にＰ１方向の力が加えられた状態を示す図である。図６は、本実施の形態に係るソケット２０を取付面１４に装着した際の状態を示す図で、（ａ）はソケット２０の状態を示す図、（ｂ）比較例のソケットを示す図である。
【００４３】
図５及び図６を用いて、ソケット２０を取付面１４に取り付ける取付方法、及びソケット２０を取付面１４に取り付けた取付状態について説明する。
【００４４】
図５（ａ）に示す一対の爪部２４の平行方向の端部間の寸法をＬ１とし、取付孔１５の外側寸法をＬ２として説明する。Ｌ１はＬ２より長いため、ソケット２０を取付孔１５に取り付ける作業者は、取付足２３を指等でつまんで、取付足２３に対して内側に力を加えながら、取付足２３を取付孔１５に挿入する。あるいは、爪部２４の外側面はテーパー状となっているので、一対の爪部２４を一対の取付孔１５に合わせて押し込むことにより挿入することもできる。
【００４５】
図５（ｂ）に示すように、作業者が、取付足２３の先端部にある爪部２４を取付孔１５に貫通させた後、指を離すと、取付足２３は外側に広がりもとの位置（形状）に戻る。これにより、取付孔１５の周縁に爪部２４が引っ掛かかり、取付足２３が取付孔１５から抜けることがない。
【００４６】
図６（ａ）は、ソケット２０を取付面１４に取り付けた状態を示している。図６（ａ）に示すように、ソケット本体２１は、バネ６０の先端６２ａ，６３ａ（他方の端部）が取付面１４に当接することで弾性変形し、弾性変形したバネ６０が復元しようとする復元力により抜け防止部である爪部２４が取付孔１５の周縁に係止されることにより、所定の位置である係止位置に保持される。
【００４７】
ソケット２０の後面２０ｄには、バネ６０により前記後面２０ｄを前記取付面１４から離す力が与えられるとともに、前記爪部２４が前記取付孔１５の周縁に引っ掛けられることにより所定の係止位置（図５（ｂ）に示す位置）に位置決めされる。つまり、ソケット２０は、前後方向に移動可能に構成されているが、何も取り付けられていない状態では、係止位置（図６（ａ）に示す位置）に安定的に位置することができ、意匠性がよい。
【００４８】
図６（ｂ）の比較例のソケット２０１では、バネ６０１にバネ６０の垂直付勢部６３に相当する構成がない。直管ランプ１３をソケット２０の通過孔２２から挿入する際、ソケット間の寸法はランプの全長よりも短くなるように配置されるため、直管ランプ１３とソケット本体２１１の前面２０ａとを当接させ、ソケット本体２１１の前面２０ａはランプ軸方向に押される。しかし、上面２０ｂ側が直管ランプ１３によっておされるため、図６（ｂ）の比較例のソケット２０１ではバネ６０１にバネ６０の垂直付勢部６３に相当する構成がないため、爪部２４を中心軸としてソケット２０が傾いてしまう。
【００４９】
図６（ａ）に示す本実施の形態に係るソケット２０においては、垂直付勢部６３により、直管ランプ１３の装着時に上面２０ｂ側が直管ランプ１３によって押されたとしても、傾くことがない。
【００５０】
図５（ｂ）は、ソケット２０を取付面１４に取り付けた状態において、直管ランプ１３等によりソケット本体２１が取付面１４方向に押された状態を示している。ソケット本体２１は、係止位置に保持されている状態において、直管ランプ１３のランプピンを受けるために取付面１４方向へ押される（Ｐ１）と、爪部２４（抜け防止部）と取付孔１５の周縁との係止を解除し、バネ６０をさらに弾性変形させながら取付面１４の方向に移動する。
【００５１】
そして、ソケット本体２１は、バネ６０の復元力により係止位置に戻ろうとするので、直管ランプ１３を両端から押し付けて保持することができるとともに直管ランプ１３の長さの誤差を吸収することができる。また、直管ランプ１３の長さの誤差を吸収するために口金部分をソケット本体２１の内部に挿入する必要が無く、直管ランプ１３を取り付けた状態でも意匠性がよい。
【００５２】
以上のように、ソケット本体２１は、バネ６０により後面２０ｄを取付面１４から離す力が与えられるとともに、爪部２４が取付孔１５の周縁に引っ掛けられることにより所定の係止位置に位置決めされる。また、ソケット本体２１は、前面２０ａに対して後面２０ｄ方向への押力（Ｐ１）が与えられると、取付足２３にガイドされ、取付面１４の方向に移動し、押力（Ｐ１）が解除されると係止の位置に戻る。
【００５３】
以上のように、本実施の形態に係るソケット２０によれば、小型化されたソケットにより直管ランプのランプ長バラツキを吸収することができ、コストを低減させるとともに意匠性を向上させることができる。また、本実施の形態に係るソケット２０によれば、ランプを挿入し易くする効果を図ることができる。
【００５４】
実施の形態２．
本実施の形態では、実施の形態１で説明したソケット２０において、バネ６０とは異なる形状のバネ７０を取り付けた場合について説明する。
【００５５】
図７は、本実施の形態のソケット２０を示す図であり、（ａ）はバネ７０の斜視図、（ｂ）はソケット２０の背面図である。図７において、実施の形態１で説明した構成部と同様の機能を有する構成部には同一の符号を付し、その説明を省略する。
【００５６】
バネ７０（弾性体）は、バネ性（弾力性）が有り、錆難い金属、例えば、ステンレスなどで成形される長形の板バネである。バネ７０は、長形の平板の長手方向の両端部が折り曲げられた板バネであり、長形の平板の長手方向における略中央の中央部７３が一方の端部として後面２０ｄに取り付けられ、長形の平板の両端部の先端７２ａが他方の端部として取付面１４に当接する。また、バネ７０は、長手方向が上下方向に沿うように配置される。言い換えると、バネ７０は、上面２０ｂ側と底面２０ｅ側方向に延びた長形の板バネである。
【００５７】
図７（ｂ）に示すように、バネ７０は、ソケット２０の後面２０ｄ側にネジ８０で固定される。本実施の形態に係るバネ７０は、ネジ８０で固定された平面状の中央部７３と、中央部７３の長手方向両端部から取付面１４に向かって広がるように形成され、上面２０ｂ側と底面２０ｅ側に延びる付勢部７２とを備える板バネである。
【００５８】
これにより、ソケット２０が取付面１４に取り付けられた場合の上下方向の傾きを防止することができる。なお、本実施の形態では、バネ７０はネジ８０にて固定されているが、カシメやカバー５０とインサート成形で固定する方法などもある。
【００５９】
以上のように、本実施の形態によれば、より簡単な構成のバネ７０を取り付けたソケット２０により、直管ランプのランプ長バラツキを吸収し、ソケットを小型化にできるとともに、ランプを挿入し易くする効果を図ることができる。
【００６０】
実施の形態１〜２では、弾性体として板バネを用いたが、他の弾性体でもよい。ソケット２０を安定的に保持するためには、弾性体の他の端部（取付面と当接する端部）が複数存在することが望ましい。特に、上下方向の傾きを防止するため、後面２０ｄの上下方向の中心に対して略対称となる位置で弾性体と取付面とが当接するようにすることが好ましい。
【００６１】
以上、本発明の実施の形態について説明したが、これらの実施の形態の２つを組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【００６２】
１０  照明器具、１１  器具本体、１２  反射板、１３  直管ランプ、１４  取付面、１５  取付孔、２０  ソケット、２０ａ  前面、２０ｂ  上面、２０ｃ  側面、２０ｄ  後面、２０ｅ  底面、２１  ソケット本体、２２  通過孔、２３  取付足、２４  爪部、２５  電線挿入孔、３０  回転子、４０  導電金具、４１  速結端子部、４２  ピン受部、５０  カバー、５１  凸部、６０  バネ、６１  凹部、６２  平行付勢部、６２ａ  先端、６３  垂直付勢部、６３ａ  先端、６４  爪通過孔、６５  中央部、７０  バネ、７１  取付部、７２  付勢部、７２ａ  先端、７３  中央部、８０  ネジ、２０１  ソケット、２１１  ソケット本体、６０１  バネ。
【図１】
2014002856.tif 000003
【図２】
2014002856.tif 000004
【図３】
2014002856.tif 000005
【図４】
2014002856.tif 000006
【図５】
2014002856.tif 000007
【図６】
2014002856.tif 000008
【図７】
2014002856.tif 000009